(57)【要約】      （修正有）【課題】加熱スタンバイ時間を必要としない加熱改良構造を有するラミネーターを提供する。【解決手段】加熱改良構造を備えたラミネーターには、本体と入口側ローラーセット３と出口側ローラーセット４と加熱セット５とを、含む。入口側ローラーセットと出口側ローラーセットと加熱セットとが各々本体の内部収容空間に設置され、且つ、加熱セットが入口側ローラーセットと出口側ローラーセットの間に位置する。【選択図】図６
0003176089.tif 000002
【実用新案登録請求の範囲】
【請求項１】
入口部と内部収容空間と出口部とを備え、且つ、前記入口部と前記内部収容空間と前記出口部とが連なる本体と、
前記内部収容空間に設けられ、また、相対的に配置された入口側上部ローラーと入口側下部ローラーとを備え、前記入口側上部ローラーと前記入口側下部ローラーの間に第１の通路があき、前記第１の通路が前記入口部に対応している入口側ローラーセットと、
前記内部収容空間に設けられ、また、相対的に配置された出口側上部ローラーと出口側下部ローラーとを備え、前記出口側上部ローラーと前記出口側下部ローラーの間に第２の通路があき、前記第２の通路が前記出口部に対応している出口側ローラーセットと、
前記内部収容空間に設けられ、前記入口側ローラーセットと前記出口側ローラーセットの間に位置し、且つ、相対的に配置された上部加熱部材と下部加熱部材とを備え、前記上部加熱部材と前記下部加熱部材の間に第３の通路があき、前記第３の通路は前記第１の通路と前記第２の通路に対応している加熱セットと、
を含むことを特徴とする加熱改良構造を有するラミネーター。
【請求項２】
前記上部加熱部材と前記下部加熱部材は、それぞれ管球であることを特徴とする請求項１に記載の加熱改良構造を有するラミネーター。
【考案の詳細な説明】
【技術分野】
【０００１】
本考案は、加熱改良構造を有するラミネーターに関し、特に、加熱待ち時間なしでラミネートを加熱でき、従ってラミネーターの使用効率をアップできる加熱改良構造を有するラミネーターに関する。
【背景技術】
【０００２】
ラミネーターは、現在市場において極めて普遍的な装置であり、写真、証明書（証書）等の物品をラミネートフィルム上に置いた後、ラミネートフィルムを加熱してローラーで圧着することで、前記の写真、証明書（証書）等の物品をラミネートフィルム内に密封することで、前記の写真、証明書（証書）等の物品について良好な保存効果を持たせることができ、例えば前記の写真、証明書（証書）の浸水、破られて損傷することを避けることができる。
【０００３】
図１〜図３を参照しながら説明する。図１は従来のラミネーターの立体図で、図２が従来のラミネーターの断面図で、図３が図２のラミネーターの内部構造拡大図である。
【０００４】
図面において従来のラミネーター９が表示されているが、このラミネーター９の内部収容空間９１にローラー９２及び加熱体９３が設けられ、且つラミネーター９に内部収容空間９１と連なる入口部９４と出口部９５とが設けられている。
【０００５】
上記の通り、ラミネーター９でラミネートする時、加熱体９３で入口部９４から進入したラミネートフィルム９６を加熱すると共にローラー９２で圧着することで、ラミネートフィルム９６で写真、証明書（証書）等の物品が密封される。
【０００６】
しがしながら、図に示すように、従来のラミネーター９の加熱体９３は、ローラー９２の一側に設けられており、ラミネートする時、加熱体９３でローラー９２をラミネートできる温度まで加熱されるのを待ってからでなければラミネートできない。つまり従来のラミネーター９の加熱体９３とラミネートフィルム９６との間が間接的な加熱関係になる。よって加熱のスタンバイ時間が無駄で、またこれによってラミネーター９の使用効率が低下してしまい、真に理想的な形とはなっていない。
【考案の開示】
【考案が解決しようとする課題】
【０００７】
本考案は、このような問題点に鑑みなされたものであり、加熱スタンバイ時間を必要としない加熱改良構造を有するラミネーターを提供することを目的とする。
【課題を解決するための手段】
【０００８】
本考案の加熱改良構造を有するラミネーターは、本体と入口側ローラーセットと出口側ローラーセットと加熱セットとを、含む。
【０００９】
本体は、入口部と内部収容空間と出口部とを備え、且つ入口部と内部収容空間と出口部とが連なる。入口側ローラーセットは本体の内部収容空間に設けられ、また相対的に配置された入口側上部ローラーと入口側下部ローラーとを、備える。入口側上部ローラーと入口側下部ローラーの間に第１の通路があき、且つ第１の通路が本体の入口部に対応している。出口側ローラーセットは本体の内部収容空間に設けられ、また相対的に配置された出口側上部ローラーと出口側下部ローラーとを、備える。出口側上部ローラーと出口側下部ローラーの間に第２の通路があき、且つ第２の通路が本体の出口部に対応している。加熱セットは本体の内部収容空間に設けられ、入口側ローラーセットと出口側ローラーセットの間に位置する。加熱セットには相対的に配置された上部加熱部材と下部加熱部材とを備え、上部加熱部材と下部加熱部材の間に第３の通路があき、この第３の通路は第１の通路と第２の通路に対応している。
【考案の効果】
【００１０】
上記のように構成したことによって、ラミネーターでラミネートする際、つまりラミネートフィルムが入口部から内部収容空間に入って加熱セットを通過する時、加熱セットがラミネートフィルムを直接加熱できるため、待つ必要がない。言い換えると、上記の構造設計は、加熱のスタンバイ時間なしでラミネート加熱を直接行うことができることから、ラミネーターの使用効率をアップできる。
【００１１】
上記加熱セットの上部加熱部材と下部加熱部材は、例えば加熱プレート（ヒータープレート）等といった各々管球或いはその他の加熱効果を有する加熱部材とすることもできる。
【図面の簡単な説明】
【００１２】
【図１】従来のラミネーターの立体図である。
【図２】従来のラミネーターの断面図である。
【図３】図２のラミネーターの内部構造拡大図である。
【図４】本考案の好ましい実施例のラミネーター立体図である。
【図５】本考案の好ましい実施例のラミネーター断面図である。
【図６】図５のラミネーターの内部構造拡大図である。
【符号の説明】
【００１３】
１               ラミネーター
２               本体
２１             入口部
２２             内部収容空間
２３             出口部
３               入口側ローラーセット
３１             入口側上部ローラー
３２             入口側下部ローラー
３３             第１の通路
４               出口側ローラーセット
４１             出口側上部ローラー
４２             出口側下部ローラー
４３             第２の通路
５               加熱セット
５１             上部加熱部材
５２             下部加熱部材
５３             第３の通路
６               ラミネートフィルム
９               ラミネーター
９１             内部収容空間
９２             ローラー
９３             加熱体
９４             入口部
９５             出口部
９６               ラミネートフィルム
【考案を実施するための形態】
【００１４】
図４〜図６を参照しながら説明する。図４は、本考案の好ましい実施例のラミネーターの立体図、図５が本考案の好ましい実施例のラミネーターの断面図、図６が図５のラミネーターの内部構造拡大図である。
【００１５】
図面内は、加熱改良構造を有するラミネーター１を表示し、且つこの加熱改良構造を備えたラミネーター１には本体２と入口側ローラーセット３と出口側ローラーセット４と加熱セット５とを、含む。
【００１６】
図面内の本体２は、入口部２１と内部収容空間２２と出口部２３とを備え、且つ入口部２１と内部収容空間２２と出口部２３とが連なる。入口側ローラーセット３は本体２の内部収容空間２２に設けられ、また相対的に配置された入口側上部ローラー３１と入口側下部ローラー３２とを、備える。入口側上部ローラー３１と入口側下部ローラー３２の間に第１の通路３３があき、且つ第１の通路３３が本体２の入口部２１に対応している。出口側ローラーセット４は本体２の内部収容空間２２に設けられ、また相対的に配置された出口側上部ローラー４１と出口側下部ローラー４２とを、備える。出口側上部ローラー４１と出口側下部ローラー４２の間に第２の通路４３があき、且つ第２の通路４３が本体２の出口部２３に対応している。加熱セット５は本体の内部収容空間２２に設けられ、入口側ローラーセット３と出口側ローラーセット４の間に位置する。加熱セット５には相対的に配置された上部加熱部材５１と下部加熱部材５２とを備え、上部加熱部材５１と下部加熱部材５２の間に第３の通路５３があき、この第３の通路５３は第１の通路３３と第２の通路４３に対応している。
【００１７】
ラミネーター１でラミネートする時、ラミネートフィルム６が本体２の入口部２１から内部収容空間２２に入り、つまりラミネートフィルム６が入口側ローラーセット３の入口側上部ローラー３１及び入口側下部ローラー３２により引っ張られて入口側上部ローラー３１と入口側下部ローラー３２の間にあく第１の通路３３から加熱セット５に移動し、加熱セット５の上部加熱部材５１及び下部加熱部材５２の間にあいた第３の通路５３に移動する。この場合、加熱セット５の上部加熱部材５１及び下部加熱部材５２は、ラミネートフィルム６を直接加熱してからラミネートフィルム６が出口側ローラーセット４の出口側上部ローラー４１及び出口側下部ローラー４２により引っ張られて出口側上部ローラー４１と出口側下部ローラー４２の間にあいた第２の通路４３を移動しながら、ラミネートフィルム６が出口側ローラーセット４の出口側上部ローラー４１及び出口側下部ローラー４２により圧着され、最終的に、加熱並びに圧着後のラミネートフィルム６が本体２の出口部２３から排出されることで、ラミネートを終了する。
【００１８】
上記通り、ラミネートフィルム６は、本体２の入口部２１から内部収容空間２２に入って加熱セット５を通過する時、加熱セット５の上部加熱部材５１及び下部加熱部材５２がラミネートフィルム６を直接加熱できるため、待つ必要がない。言い換えると、上記の構造設計は、加熱のスタンバイ時間なしでラミネート加熱を直接行うことができることから、ラミネーターの使用効率をアップできる。
【００１９】
本実施例において、上記加熱セット５の上部加熱部材５１と下部加熱部材５２は、各々管球としているが、例えば加熱プレート（ヒータープレート）等といった他の加熱効果を有する加熱部材も使用できる。
【図１】
0003176089.tif 000003
【図２】
0003176089.tif 000004
【図３】
0003176089.tif 000005
【図４】
0003176089.tif 000006
【図５】
0003176089.tif 000007
【図６】
0003176089.tif 000008